(57)【要約】【課題】メールやブラウザ等のテキスト文等、所定の情報を音声読上げすることができ、情報端末の画面を見ることが出来ない場合や視力の低下した高齢者にとって使い勝手に優れる携帯端末装置を提供する。【解決手段】テキスト文をダウンロードされた音声読上げ用プログラムを用いてＤＳＰ３ａが読上げる。キー操作時のキー数字読上げについては、ＡＤＰＣＭ機能を内蔵した音源ＬＳＩ９が登録されている語彙を用いて音声出力する。ＤＳＰ３ａはまたダウンロードされた音声コーデック用プログラムを用いて、通話時には音声コーデックとして機能する。こうして、本発明の携帯電話機によれば、ＤＳＰが音声読上げ機能と音声コーデック機能とを有する兼用タイプとされる。【選択図】図１
2006325267.tif 000002
【特許請求の範囲】
【請求項１】
ＤＳＰチップとダウンロードされる制御プログラムを格納するダウンロードプログラム記憶部を備えた信号処理部を有すると共に、第１の情報を読み上げる第１音声読み上げ手段と、
第２の情報を読み上げる第２音声読み上げ手段と、
前記第１音声読み上げ手段と前記第２音声読み上げ手段とを読み上げる情報に基づいて切り替える切替手段とを備え、
前記ダウンロードプログラム記憶部は、音声コーデック用プログラム格納領域及び音声読上げ用プログラム格納領域からなることを特徴とする携帯端末装置。
【請求項２】
請求項１に記載の携帯端末装置において、
前記第１の情報は、テキスト文を含むことを特徴とする携帯端末装置。
【請求項３】
請求項１に記載の携帯端末装置において、
前記第２の情報は、押下された数値キーの数字またはメニュー項目を含むことを特徴とする携帯端末装置。
【発明の詳細な説明】
【技術分野】
【０００１】
本発明は、メールやブラウザのテキスト文等を読上げることができる携帯電話等の携帯端末装置に関するものである。
【背景技術】
【０００２】
携帯電話等の携帯端末装置は、近年、急速に発達しており、電話のみでなく、メールの通信やインターネットへの接続を可能としたものが数多く普及されるに至っている。
【発明の開示】
【発明が解決しようとする課題】
【０００３】
しかしながら、従来の携帯電話機等の携帯端末装置には、メールやブラウザ等のテキスト文を音声読上げる機能が備えられておらず、視力に優れないユーザや高齢者にとっては、使い勝手の悪いものであった。
【０００４】
本発明は、このような課題を解決するためになされたものであり、メールやブラウザ等のテキスト文等、所定の情報を音声読上げすることができ、情報端末の画面を見ることが出来ない場合や視力の低下した高齢者にとって使い勝手に優れる携帯端末装置を提供することを目的とする。
【課題を解決するための手段】
【０００５】
上述した課題を解決するため、本発明における携帯端末装置は、ＤＳＰチップとダウンロードされる制御プログラムを格納するダウンロードプログラム記憶部を備えた信号処理部を有すると共に、第１の情報を読み上げる第１音声読み上げ手段と、第２の情報を読み上げる第２音声読み上げ手段と、前記第１音声読み上げ手段と前記第２音声読み上げ手段とを読み上げる情報に基づいて切り替える切替手段とを備え、前記ダウンロードプログラム記憶部は、音声コーデック用プログラム格納領域及び音声読上げ用プログラム格納領域からなることを特徴とする。
【０００６】
また、前記第１の情報は、テキスト文を含むことを特徴とする。
【０００７】
さらに、前記第２の情報は、押下された数値キーの数字またはメニュー項目を含むことを特徴とする。
【発明の効果】
【０００８】
本発明によれば、メールやブラウザ等のテキスト文等、所定の情報を音声読上げすることができ、視力に優れないユーザや視力の低下した高齢者にとって使い勝手に優れる携帯端末を提供することができるという効果を奏する。
【発明を実施するための最良の形態】
【０００９】
以下、本発明の実施の形態を図面を用いて説明する。
図１は本発明の携帯端末装置としての携帯電話機を示すブロック図である。この携帯電話機は、電波を受信するアンテナ１と、アンテナ１に接続され搬送波信号を用いて変復調処理を行うＲＦ部２と、ＲＦ部２に接続されて信号処理を行い、受信信号に基づいて必要な出力音声信号やテキスト文等の表示信号を得、または入力音声信号やキー入力信号から必要な送信信号を得る信号処理部３と、信号処理部３に接続され、信号処理部３によって得られたデジタル音声信号をアナログ変換し、あるいはアナログ音声信号をデジタル音声信号に変換するアナログ回路４と、アナログ回路４に接続され、音声出力をするスピーカ５と、音声入力するためのマイク６と、これらの処理に必要なデータを記憶した記憶部７と、またこれらの処理に必要な制御を行うための制御部であるＣＰＵ８と、必要な表示を音声で行うための音源ＬＳＩ（音声合成ＬＳＩ）９と、キー入力を行うためのキー操作部１０とを備えている。
【００１０】
信号処理部３は、デジタル信号処理用のＤＳＰ（Digital Signal Processor）として、ダウンロードタイプのＤＳＰが用いられており、ハード部を構成するＤＳＰチップ３ａと、その制御プログラムであって、ダウンロードされた制御プログラムを格納するダウンロードプログラム記憶部（ＲＡＭ）３ｂを備えている。このダウンロードプログラムには、通話時にＤＳＰを音声コーデックとして用いるための音声コーデック用プログラムと、待ち受け時にメールなどのテキスト文を音声で読上げる音声読上げ機能として用いるための音声読上げ用プログラムとがあり、それぞれの格納領域３ｂ−１，３ｂ−２に格納されている。
【００１１】
記憶部７は、ＦＬＡＳＨメモリ７ａとＳＲＡＭ７ｂとを含み、ＦＬＡＳＨメモリ７ａは、図２に示すように、ＤＳＰ用領域７１、ＣＰＵ用領域７２、ＤＳＰ及びＣＰＵ共用領域７３、及びその他の領域７４からなる記憶領域を備えている。ＤＳＰ用領域７１は、音声コーデック用ファームウェア領域７１ａと、音声読上げ用ファームウェア領域７１ｂとに分かれている。ＤＳＰ及びＣＰＵ共用領域７３は、イコライザ音声波形データとして、メール音声、ブラウザ音声、アラーム音声など適宜音声を変更して出力できるように、各種音声データが記憶されている。これら音声において、さらに例えばメール音声やブラウザ音声などには、適宜男性用、女性用の音声が選択できるように、それらの音声用データが備えられている。
【００１２】
そして、ＦＬＡＳＨメモリのＣＰＵ用領域７２には、ＣＰＵの制御用プログラムが記憶され、その他の領域７４には、ユーザの使用するユーザ領域として、固定音声、ゲーム、着メロ、画像、電話帳等のデータが記憶されている。
【００１３】
また、音源ＬＳＩ９は、ＡＤＰＣＭ（Adaptive Differential Pulse Code Modulation）機能を備え、キー操作部１０の数字キー操作時やメニューの読上げ処理時に頻繁に使用される語彙が登録されており、それらの処理時に読み出されて音声出力される。なお、具体的には、音源ＬＳＩ９は、着メロ等を出力するためのＭＩＤＩ等の音源と、上記ＡＤＰＣＭ機能を実行するためのＡＤＰＣＭデコーダと、それらに接続されＭＩＤＩ等の音源及びＡＤＰＣＭデコーダによるオーディオ信号を増幅するアンプと、ＭＩＤＩ等の音源及びＡＤＰＣＭデコーダが使用するオーディオデータ（上記数字キー操作時やメニューの読上げ処理時に頻繁に使用される語彙を含む）が登録されたメモリから構成される。また、アナログ回路４は、Ｄ／Ａ変換器４ａと、Ａ／Ｄ変換器４ｂと、ＤＴＭＦ（Dial Tone Multi Frequency ）を出力するためのＤＴＭＦ部４ｃ等を備えている。
【００１４】
以上の構成において、実施の形態における携帯電話機では、アンテナ１とＲＦ部２が本発明の受信部と送信部を構成している。また、信号処理部３のＤＳＰチップ（ＤＳＰコア）３ａとＲＡＭ３ｂに記憶された音声読上げ用プログラム（以下「音声読上げＤＳＰ」という）及び音源ＬＳＩ９が音声読上げ手段を構成している。また、本発明の実施の形態においては、音声読上げＤＳＰと音源ＬＳＩ９とは、読上げ情報の種別に基づいて、図３（ａ）（ｂ）に示すように、ＣＰＵ８により切替えて使用され、音声読上げＤＳＰは、主としてテキスト文の読上げを担当し（ａ）、音源ＬＳＩ９は主として押下された数字キーの読上げまたはメニューの読上げを担当する（ｂ）。
【００１５】
図４は、音声読上げＤＳＰと音源ＬＳＩ９との基本動作を示すフローチャートである。まず、テキスト文を読上げる場合、読上げ機能の動作を開始させると（Ｓ４１）、音声読上げＤＳＰは終了キーの操作があるまで、あるいはテキスト文の終了まで、テキスト文の読上げ動作を行う（Ｓ４２，Ｓ４３）。終了キーの操作があった場合、あるいはテキスト文の読上げが終了すると（Ｓ４３，Ｙ）、音声読上げＤＳＰはスタンバイ状態となる（Ｓ４４）。そして、キー操作があった場合（Ｓ４５）において、それが数字キー操作であった場合（Ｓ４５，Ｙ）は、音源ＬＳＩ９のＡＤＰＣＭが出力オン状態となって（Ｓ４６）、音声合成出力により操作された数字キーを音声で読上げる（Ｓ４７）。一方、キー操作がファンクションキーの操作であった場合（Ｓ４５，Ｎ）は、音声読上げＤＳＰが動作状態となり（Ｓ４８）、ステップＳ４２に戻ってテキスト文の音声読上げが行われる。このように、テキスト文の読上げを音声読上げＤＳＰが担当し、一方数字キーの読上げを音源ＬＳＩ９が担当することにより、読上げ音質の違和感を軽減させることができる。さらに、音源ＬＳＩ９はＡＤＰＣＭ機能において、登録された所定の語彙を動作要求時に読上げるように構成され、音声フレーズ等の違和感が軽減される。
【００１６】
なお、前記音声読上げＤＳＰは通話時には、ＲＡＭ３ｂに記憶された音声コーデック用プログラムを用いて音声コーデックＤＳＰとして機能する。また、従来より携帯電話機に通常備えられている図示しない電池残量検出器による電池残量検出値を音声読上げＤＳＰが音声により出力することもできる。この場合、電池残量が所定値よりも低くなった場合にのみ自動的に音声出力するようにしても良いし、さらにこの音声は、ＤＳＰ及びＣＰＵ共用領域７３に格納されたイコライザ音声波形データとして格納されているアラーム音声として、電池を充電するよう注意を促すようにしても良い。この音声の変更は、メールを読上げる場合、ブラウザを読上げる場合等においても適宜それぞれ専用の音声がイコライザ音声波形データの中から選択されて変更され得る。
【００１７】
図５は、上述のイコライジング制御の動作を簡略的に示すフローチャートである。音声読上げＤＳＰの機能によりテキスト読上げの指示があると（Ｓ５１）、それがメールの時はメール用音声が選択され（Ｓ５２，Ｙ）、さらに適宜設定された男性または女性用の音声が選択されて音声読上げが行われる（Ｓ５３〜Ｓ５５）。なお、メール送信者の登録された性別によって、適宜男性または女性用の音声が自動的に選択されて音声読上げが行われるようにしてもよい。また、ブラウザの読上げ時においても、同様に男性または女性用の音声が選択されて音声読上げが行われる（Ｓ５６〜Ｓ５９）。電池残量通知の場合は、上述した一例のように、残量が所定値以下となった場合にアラーム音声により読上げられる（Ｓ６０，Ｓ６１）。なお、アラーム音声による読上げは、音源ＬＳＩ９のメモリに所定の語彙を登録しておき、この語彙を読みだして発声するようにしてもよい。
【００１８】
また、本発明の実施の形態における携帯電話機は、自動着信応答モードを設定することができる自動着信応答手段を備えており、自動着信応答モード時におけるテキスト文受信時には、音声読上げＤＳＰが受信されたテキスト文を読上げることにより、メール文を読む手間が省かれる。一方、電話着信時には、音声コーデックＤＳＰが動作状態とされ、通常の通話が行われる。即ち、音声読上げＤＳＰと音声コーデックＤＳＰとは、メール着信と電話着信のいずれかに応じて自動的に切り替えられる。
【００１９】
図６は自動着信モードが設定されているときに着信があった場合の動作を示すフローチャートであり、自動着信モード設定（Ｓ７１）後、電話着信またはメール着信があると、スピーカホンをオンとし（Ｓ７２）、メール着信の場合は（Ｓ７３，Ｙ）、ＤＳＰを音声読上げＤＳＰとして機能させ、メールを音声出力して読上げる（Ｓ７４）、読上げ後、着信前の状態に復帰する（Ｓ７５）。一方、電話着信の場合（Ｓ７３，Ｎ）は、ＤＳＰを音声コーデックＤＳＰとして機能させハンズフリー通話を可能として（Ｓ７６）、通話終了後に着信前の状態に復帰させる。なお、メール着信があった場合はメール着信の報知を行い、電話着信があった場合は電話着信があったことの報知を予め音声で行うようにしても良い。
【００２０】
以上のように、本発明の一実施の形態を携帯電話機に例をとって説明したが、本発明は、携帯電話機に限定されることはなく、ＰＤＡ等、受信機能または送信機能を有する種々の携帯情報端末に適用できることは言うまでもない。
【図面の簡単な説明】
【００２１】
【図１】本発明の実施の形態に係る携帯電話機を示すブロック図である。
【図２】ＦＬＡＳＨメモリの記憶領域を示す図である。
【図３】出力音声の経路図を示すブロック図である。
【図４】音声読上げＤＳＰと音源ＬＳＩの動作を示すフローチャートである。
【図５】イコライジング制御を示すフローチャートである。
【図６】自動着信時の制御を示すフローチャートである。
【符号の説明】
【００２２】
１  アンテナ、２  ＲＦ部、３  信号処理部、３ａ  ＤＳＰコア（チップ）、３ｂ  ダウンロードプログラム記憶領域（ＲＡＭ）、３ｂ−１  音声コーデック用プログラム記憶領域、３ｂ−２  音声読上げ用プログラム記憶領域、４  アナログ回路、５  スピーカ、７  記憶部、７ａ  ＦＬＡＳＨメモリ、８  ＣＰＵ、９  音源ＬＳＩ、７１  ＤＳＰ用領域、７１ａ  音声コーデック用ファームウェア領域、７１ｂ  音声読上げ用ファームウェア領域、７２  ＣＰＵ用領域、７３  ＤＳＰ及びＣＰＵ共用領域。
【図１】
2006325267.tif 000003
【図２】
2006325267.tif 000004
【図３】
2006325267.tif 000005
【図４】
2006325267.tif 000006
【図５】
2006325267.tif 000007
【図６】
2006325267.tif 000008